(57)【要約】【課題】幹糸及びハリス等の結節箇所を効率的により強固に結節できる量産可能な魚釣り用仕掛けの製造方法を提供する。【解決手段】上下２列状に左右方向に沿って千鳥配置され、水平面に対して垂直に起立させた複数のロッド６に波形になるように、複数の糸を撚り合わせてなる糸２を張架し、波形に張架された糸２の上下２列の中間の列において、糸２の撚り目に、串刺し状に、糸３を縫い針で左右方向に水平に挿通し、糸２と糸３とのそれぞれの隣接する交差箇所の間で糸３を切断し、交差箇所４に接着剤を塗布することにより、交差箇所４を固着し、切断された糸３の先端のそれぞれに釣針を取り付け、糸２を幹糸１１とし、糸３をハリス１２とする。【選択図】図２
2013158328.tif 000002
【特許請求の範囲】
【請求項１】
上下２列状に左右方向に沿って千鳥配置され、水平面に対して垂直に起立させた複数のロッドに波形になるように、複数の糸を撚り合わせてなる第１糸を張架する第１糸張架工程と、
前記第１糸張架工程によって波形に張架された前記第１糸の上下２列の中間の列において、前記第１糸の撚り目に、串刺し状に、第２糸を縫い針で左右方向に水平に挿通する第２糸挿通工程と、
前記第２糸挿通工程で、前記第１糸と前記第２糸とのそれぞれの隣接する交差箇所の間で前記第２糸を切断する第２糸切断工程と、
前記交差箇所に接着剤を塗布することにより、又は、前記交差箇所を熱圧着することにより、前記交差箇所を固着する第１固着工程と、
前記第２糸切断工程によって切断された前記第２糸の先端のそれぞれに釣針を取り付ける釣針取付工程とからなり、
前記第１糸が幹糸となり、前記第２糸がハリスとなることを特徴とする魚釣り用仕掛けの製造方法。
【請求項２】
前記第２糸切断工程において、前記第１糸と前記第２糸との交差箇所を中心に左右非対称に切断することを特徴とする請求項１に記載の釣り仕掛けの製造方法。
【請求項３】
前記第１固着工程の後において、ハリスが絡まることを防止するための管を前記第１糸に通す管取付工程を備えることを特徴とする請求項１又は請求項２に記載の魚釣り用仕掛けの製造方法。
【請求項４】
前記第１糸の一方の先端部に、道糸を繋ぐためのサルカンを接着剤によって固着する第２固着工程と、
前記第１糸の他方の先端部に、撒き餌を入れるカゴを取り付けるためのスナップサルカンを接着剤によって固着する第３固着工程とを備えることを特徴とする請求項３に記載の魚釣り用仕掛けの製造方法。
【発明の詳細な説明】
【技術分野】
【０００１】
本発明は、幹糸の撚り目にハリスを連続して挿通することにより、幹糸とハリスとの結節の作業効率を向上させたフグ目に属する魚類の魚釣り用仕掛けの製造方法に関する。
【背景技術】
【０００２】
この種の魚釣り用仕掛けの製造方法に関して、従来、特許文献１に開示する製造方法が知られている（特許文献１の２頁２行目を参照。）。この魚釣り用仕掛けにおける幹糸とハリスとの結節方法は、ハリスにおける幹糸との結節部分に折り返し部分を形成し、あるいは別の糸を配置することによって、沿糸を配置させ、幹糸にハリスを沿わせて環部を形成するとともに、環部内に幹糸とハリスとを一緒に挿通して複数回巻きにして引き締めるというものである。
【０００３】
この魚釣り用仕掛けにおける幹糸とハリスとの結節方法によれば、ハリスの結節部での糸切れを防止し、さらに、ハリス本来の引っ張り強度を最大限に発揮させ得るとともに、製品にした場合における強度のバラツキを完全に防止し得るという効果を発揮させることができる。
【０００４】
本件発明者は、学術的根拠及び実証実験に基づいて、魚釣り用仕掛けを発明している（特許文献２を参照）。この釣り用仕掛けは、幹糸の一つの支点から２つのハリスが釣支され、ハリスが３連若しくは複数連一定間隔で釣支されている。
【０００５】
この釣り用仕掛けによれば、幹糸の一つの支点から２本のハリスが釣支されているので、魚がいずれか一方のハリスの先端に設けられた疑似餌等に触れると、他方のハリスが同時に連動して動くことから、他方のハリスに設けられた疑似餌等が生きた餌のように振る舞い、魚がよりかかりやすくなり、従来の釣り用仕掛に比べて魚を沢山釣ることができる。
【０００６】
特に、この釣り用仕掛けは、フグ目科の魚、中でもカワハギに有効である。カワハギは、餌取り名人と呼ばれ、非常に戦闘的で視蓋が大きく発達しているため、動くものに極めて敏感に反応するとされている。
【先行技術文献】
【特許文献】
【０００７】
【特許文献１】特開２００２−１１２６８０号公報
【特許文献２】特願２０１１−２３４０７０号
【発明の概要】
【発明が解決しようとする課題】
【０００８】
しかしながら、従来の魚釣り用仕掛けの製造方法は、幹糸とハリスとを固着する際に一つ一つ手で結節していたため、連続して結節することができず、作業効率が低下するという問題があった。
【０００９】
また、ハリスに釣針を、幹糸にサルカン及びスナップサルカンを取り付ける際にも、手で結節していたため、結節力が一定に保たれなかった。
【００１０】
そこで、本発明が解決しようとする課題は、幹糸及びハリス等の結節箇所を効率的により強固に結節できる量産可能な魚釣り用仕掛けの製造方法を提供することである。
【課題を解決するための手段】
【００１１】
この発明は、前記課題を解決するためになされたもので、請求項１に記載の魚釣り用仕掛けの製造方法は、上下２列状に左右方向に沿って千鳥配置され、水平面に対して垂直に起立させた複数のロッドに波形になるように、複数の糸を撚り合わせてなる第１糸を張架する第１糸張架工程と、前記第１糸張架工程によって波形に張架された前記第１糸の上下２列の中間の列において、前記第１糸の撚り目に、串刺し状に、第２糸を縫い針で左右方向に水平に挿通する第２糸挿通工程と、前記第２糸挿通工程で、前記第１糸と前記第２糸とのそれぞれの隣接する交差箇所の間で前記第２糸を切断する第２糸切断工程と、前記交差箇所に接着剤を塗布することにより、又は、前記交差箇所を熱圧着することにより、前記交差箇所を固着する第１固着工程と、前記第２糸切断工程によって切断された前記第２糸の先端のそれぞれに釣針を取り付ける釣針取付工程とからなり、前記第１糸が幹糸となり、前記第２糸がハリスとなることを特徴としている。
【００１２】
請求項１に記載の魚釣り用仕掛けの製造方法によれば、固定された第１糸の撚り目に第２糸を串刺し状に挿通し、第１糸と第２糸との交差箇所を接着剤の塗布又は熱圧着により固着するので、より強固に結節することができるとともに、連続して結節することが可能となり、従来のように第１糸と第２糸とを手で結節する必要がなくなることから、作業効率が向上する。
【００１３】
また、請求項１に記載の魚釣り用仕掛けの製造方法によれば、固定された第１糸の撚り目に第２糸を串刺し状に挿通した上で、第１糸と第２糸とのそれぞれの隣接する交差箇所の間で第２糸を切断するので、この点においても作業効率が向上するとともに、第１糸が幹糸となり、該幹糸の１つの支点から２つハリスが釣支されており、該支点が幹糸に複数設けられた魚釣り用仕掛けを短時間に量産することができる。
【００１４】
ここで、請求項１に記載の魚釣り用仕掛けによれば、幹糸の１つの支点から２つハリスが釣支されているので、魚が左右どちらか一方のハリスの先端に設けられた疑似餌等に触れると、他方のハリスが同時に連動して動くことから、他方のハリスに設けられた疑似餌等が振動して生きた餌のように振る舞い、魚がよりかかり易くなるという利点がある。
【００１５】
請求項２に記載の魚釣り用仕掛けの製造方法は、請求項１において、前記第２糸切断工程は、前記第１糸と前記第２糸との交差箇所を中心に左右非対称に切断することを特徴としている。
【００１６】
請求項２に記載の魚釣り用仕掛けの製造方法によれば、請求項１の効果に加えて、第１糸と第２糸との交差箇所を中心に左右非対称に第２糸を切断するので、幹糸の１つの支点から釣支された２つのハリスの長さが異なることになり、両ハリスの先端部に取り付けられた釣針が重なることなく絡みにくい魚釣り用仕掛けを製造することができる。
【００１７】
請求項３に記載の魚釣り用仕掛けの製造方法は、請求項１又は請求項２において、前記第１固着工程の後において、ハリスが絡まることを防止するための管を前記第２糸に通す管取付工程を備えることを特徴としている。
【００１８】
請求項３に記載の魚釣り用仕掛けの製造方法によれば、請求項１の効果に加えて、ハリスが絡まることを防止するための管をハリスに通すので、ハリスが絡むことを防止できる魚釣り用仕掛けを製造することができる。
【００１９】
請求項４に記載の魚釣り用仕掛けの製造方法は、請求項３において、前記第１糸の一方の先端部に、道糸を繋ぐためのサルカンを接着剤によって固着する第２固着工程と、前記第１糸の他方の先端部に、撒き餌を入れるカゴを取り付けるためのスナップサルカンを接着剤によって固着する第３固着工程とを備えることを特徴としている。
【００２０】
請求項４に記載の魚釣り用仕掛けの製造方法によれば、請求項３の効果に加えて、第１糸の両先端部の一方にサルカン、他方にスナップサルカンを接着剤によって固着するので、従来のように手で結節する必要がなくなり、作業効率が向上するとともに、より強固に結節できるようになる。
【発明の効果】
【００２１】
この発明によれば、幹糸及びハリス等の結節箇所を効率的により強固に結節できる量産可能な魚釣り用仕掛けの製造方法を提供することができる。
【図面の簡単な説明】
【００２２】
【図１】魚釣り用仕掛けの構成の説明に供する図である。
【図２】本発明の一実施形態に係る魚釣り用仕掛けの製造方法のフローチャートである。
【図３】魚釣り用仕掛けの製造方法に用いるロッドの配置の説明に供する図である。
【図４】魚釣り用仕掛けの製造方法における第１糸張架工程の説明に供する図である。
【図５】魚釣り用仕掛けの製造方法における第２糸挿通工程の説明に供する図である。
【図６Ａ】魚釣り用仕掛けの製造方法の第２糸切断工程において、第２糸の切断箇所を示した図である。
【図６Ｂ】魚釣り用仕掛けの製造方法の第２糸切断工程において、切断後の状態を示した図である。
【図７】魚釣り用仕掛けの製造方法における第１固着工程及び釣針取付工程の説明に供する図である。
【発明を実施するための形態】
【００２３】
以下、本発明を適用した具体的な実施の形態について、図面を参照しながら詳細に説明する。本発明は、例えば、図１に示すような構成の魚釣り用仕掛け１の製造方法に適用される。
【００２４】
先ず、図１を参照して、魚釣り用仕掛け１の構成の概略について説明する。この魚釣り用仕掛け１は、幹糸１１と、ハリス１２と、カラミ止１３（請求項３に記載の管に対応）と、釣針１４と、サルカン１５と、スナップサルカン１６とからなる。
【００２５】
幹糸１１は、ポリエチレンの繊維を撚り合わせてなるＰＥラインを使用している。ＰＥラインは、ナイロン製のラインに比べると比重が軽く、他の素材のラインに比べ同等の太さで倍以上の強度があり、糸自体がほとんど伸びないため非常に感度が良いことを特徴としている。なお、この実施形態では、幹糸１１に東レ株式会社（又は株式会社サンライン）の４号ＰＥラインを使用している。
【００２６】
幹糸１１は、フロロカーボン製やナイロン製の既存の透明なラインを、製紐機を使用して、例えば三つ編みや四つ編みとなるように、複数編み込んで作製してもよい。
【００２７】
ハリス１２は、幹糸１１上に１５ｃｍの間隔で設けられた３つの支点１７からそれぞれ２つずつ釣支されている。ハリス１２は、フロロカーボンからなる。このフロロカーボンは、以下のような特徴がある。（１）横のズレに対しての強度がある，（２）根ズレ（水中の障害物や岩礁帯にラインが擦れること）によるライン切断などが起こりにくい，（３）低温に強い，（４）屈折率が水と近く水中で見えにくい，（５）ＰＥラインよりも早く水中へ沈む等である。なお、この実施形態では、ハリス１２に株式会社クレハの５号シーガーＭＡＸ（登録商標）を使用している。
【００２８】
支点１７は、幹糸１１とハリス１２との交差箇所で接着剤によって固着されている。なお、支点１７は、接着剤を使用せずに、融点以下の適当な温度で圧力を加えて熱圧着されていてもよい。
【００２９】
カラミ止１３は、ハリスが絡まることを防止するための管であり、ハリス１２に通されている。カラミ止１３は、両先端から支点１７に向けてハリス１２に通された後、支点１７に接する位置で、接着剤により固着されている。なお、カラミ止１３は、接着剤を使用せずに、融点以下の適当な温度で圧力を加えて熱圧着されていてもよい。また、支点１７を固着する際に、カラミ止１３も併せて固着してもよい。
【００３０】
釣針１４は、チモト部分（ハリスを付ける釣針の軸の先端部）が環状に加工された環付針であり、このチモト部分とハリス１２の先端部とが接着剤により固着されている。なお、この実施形態では、釣針１４に８号環付グレ針（針の種類）を使用している。
【００３１】
サルカン１５は、道糸と幹糸１１とを結ぶための小さな連結金具であり、両端部に環状体が設けられている。サルカン１５は、この環状体１５ａと幹糸１１の一方の先端部とが接着剤により固着されている。
【００３２】
スナップサルカン１６は、サルカンの一方の環状体にスナップが設けられたものである。スナップサルカン１６は、サルカンの他方の環状体１６ａと幹糸１１の他方の先端部とが接着剤により固着されている。なお、この実施形態では、サルカン１５及びスナップサルカン１６に株式会社オーナーばりの３号を使用している。
【００３３】
続いて、前述した構成の魚釣り用仕掛け１の製造方法について、図２〜図７を参照して説明する。この魚釣り用仕掛け１の製造方法は、図２のフローチャートに示すように、上下２列状に左右方向に沿って千鳥配置され、水平面に対して垂直に起立させた複数のロッド６に波形になるように、複数の糸を撚り合わせてなる糸２（請求項１の第１糸に対応）を張架するステップＳＴ１（請求項１の第１糸張架工程に対応）と、ステップＳＴ１によって波形に張架された糸２の上下２列の中間の列において、糸２の撚り目に、串刺し状に、糸３（請求項１の第２糸に対応）を縫い針で左右方向に水平に挿通するステップＳＴ２（請求項１の第２糸挿通工程に対応）と、糸２と糸３とのそれぞれの隣接する交差箇所４の間で糸３を切断するステップＳＴ３（請求項１の第２糸切断工程に対応）と、交差箇所４に接着剤を塗布することにより、又は、交差箇所４を熱圧着することにより、交差箇所４を固着するステップＳＴ４（請求項１の第１固着工程に対応）と、ステップＳＴ３によって切断された糸３の先端のそれぞれに釣針１４を取り付けるステップＳＴ５（請求項１の針取付工程に対応）とで構成されている。
【００３４】
先ず、図３に示すように、複数個のロッド６を上下２列状に左右方向に沿って千鳥配置し、水平面に対して垂直に起立させた糸張架台５を準備する。図３においては、ロッド６の数が８個であるが、少なくとも４個必要であり、多ければその分量産が可能になる。
【００３５】
ステップＳＴ１では、図４に示すように、糸張架台５のロッド６に、複数の糸を撚り合わせてなる糸２を波形になるように張架する。
【００３６】
ステップＳＴ２では、図５に示すように、糸張架台５のロッド６に波形に固定された糸２の上下２列の中間の列において、糸２の撚り目に、串刺し状に糸３を縫い針で左右方向に水平に挿通する。
【００３７】
ステップＳＴ３では、先ず、図６Ａに示すように、糸張架台５に固定された糸２の撚り目に、串刺し状に糸３を挿通した後、糸２と糸３とのそれぞれの隣接する交差箇所４の間で糸３を切断する。切断箇所は、例えば、ロッド６から糸３に向かう垂線と糸３との交点をｈとしたとき、１つの交差箇所４から左右の交点ｈまでのそれぞれの長さを、左が５ｃｍ、右が７ｃｍとする。次に、図６Ｂに示すように糸３を切断することで糸２が幹糸１１となり、糸３がハリス１２となる。
【００３８】
ステップＳＴ４では、図７に示すように、先ず、幹糸１１とハリス１２との交差箇所４を接着剤又は熱圧着により接着する。この接着を行うことで、交差箇所４が支点１７となる。次に、ハリス１２の両先端から支点１７に向けてカラミ止１３を通し、接着剤により固着する。カラミ止１３は、ハリス１２が絡まることを防ぐ。なお、カラミ止１３は、交差箇所４を固着し支点１７とする際に幹糸１１とハリス１２とを合わせて固着してもよい。また、カラミ止１３は、必須ではなく、カラミ止１３を取り付ける工程は省略してもよい。
【００３９】
ステップＳＴ５では、図７に示すように、それぞれのハリス１２の先端部に、釣針１４を接着剤によって固着する。このとき、釣針１４の環の中にハリス１２の先端を通し、その後接着剤で固着してもよい。
【００４０】
ハリス１２の先端を環の中に通すことで、ハリス１２の脱離防止となる。また、１つの支点１７から２つのハリス１２が釣支され、ハリス１２の長さが支点１７を中心に左右非対称としているため、釣針１４同士が絡みにくくなる。さらに、１つの支点１７から２つのハリス１２が釣支されているため、どちらか一方のハリス１２の先端に設けられた疑似餌等に魚が触れると、他方のハリス１２が同時に連動して動くことから、他方のハリス１２に設けられた疑似餌等が生きた餌のように振る舞い、魚がよりかかりやすくなる。
【００４１】
また、ステップＳＴ５では、サルカン１５の環状体１５ａと幹糸１１の一方の先端とを固着する。サルカン１５を固着することで、この魚釣り用仕掛け１と道糸を繋げることが可能となる。
【００４２】
最後に、ステップＳＴ５では、スナップサルカン１６の環状体１６ａと幹糸１１の他方の先端とを固着する。スナップサルカン１６を固着することで、この魚釣り用仕掛け１に撒き餌を入れる籠を取り付けることが可能となる。
【００４３】
以上のように、この魚釣り用仕掛け１の製造方法によれば、糸２と糸３の交差箇所４等を接着剤又は熱圧着により固着するため、効率的であってより強固に結節でき、量産することが可能となる。
【００４４】
また、この魚釣り用仕掛け１の製造方法によれば、糸２と糸３とのそれぞれの隣接する交差箇所の間で糸３を切断するため、この点においても作業効率が向上する。
【００４５】
さらに、この魚釣り用仕掛け１の製造方法によれば、１つの支点１７から２つのハリス１２が釣支されているため、釣針１４同士が絡みにくく、一方のハリス１２の先端に設けられた疑似餌等に魚が触れると、他方のハリス１２の先端に設けられた疑似餌等が連動して動くことで、本物の餌のように振る舞い魚がよりかかりやすくなる。
【００４６】
なお、本発明は前述した実施の形態のみに限定されるものではなく、本発明の要旨を逸
脱しない範囲において種々の変更が可能であることは勿論である。例えば、前述の実施例
では、釣針１４の環にハリス１２の先端を通し接着剤で固着するとあるが、このとき、脱離防止のためにハリス１２を通した環に小さなプラスチック片を入れてもよい。また、釣針１４の脱離防止と同様に、サルカン１５及びスナップサルカン１６を幹糸１１の先端に接着剤で固着する際にも、小さなプラスチック片を入れてもよい。
【符号の説明】
【００４７】
１      魚釣り用仕掛け
２      第１糸
３      第２糸
４      交差箇所
５      糸張架台
６，６ａ〜６ｈ  ロッド
１１    幹糸
１２    ハリス
１３    カラミ止め
１４    釣針
１５    サルカン
１６    スナップサルカン 
１５ａ，１６ａ  環状体
１７    支点
ｈ      交点
【図１】
2013158328.tif 000003
【図２】
2013158328.tif 000004
【図３】
2013158328.tif 000005
【図４】
2013158328.tif 000006
【図５】
2013158328.tif 000007
【図６Ａ】
2013158328.tif 000008
【図６Ｂ】
2013158328.tif 000009
【図７】
2013158328.tif 000010